(57)【要約】【課題】ペアリングを行う際の誤認識率を削減することを目的とする。【解決手段】携帯端末と無線通信を介して接続される情報処理装置であって、情報処理装置の設置環境の変化を検知する検知手段と、検知手段により前記設置環境の変化が検知された場合、受信電波強度に関する補正値の再設定を推奨するメッセージを出力する出力手段と、を有することによって課題を解決する。【選択図】図７
2018019277.tif 000002
【特許請求の範囲】
【請求項１】
携帯端末と無線通信を介して接続される情報処理装置であって、
前記情報処理装置の設置環境の変化を検知する検知手段と、
前記検知手段により前記設置環境の変化が検知された場合、受信電波強度に関する補正値の再設定を推奨するメッセージを出力する出力手段と、
を有する情報処理装置。
【請求項２】
前記出力手段は、前記検知手段により前記設置環境の変化が検知された日時が前記携帯端末の前記補正値を設定した日時よりも新しい場合、前記受信電波強度に関する補正値の再設定を推奨するメッセージを出力する請求項１記載の情報処理装置。
【請求項３】
前記出力手段は、前記メッセージを表示部に表示する請求項１又は２記載の情報処理装置。
【請求項４】
前記携帯端末から前記補正値の再設定の要求を受信した場合、前記補正値の再設定を実施する再設定手段を更に有する請求項１乃至３何れか１項記載の情報処理装置。
【請求項５】
携帯端末と無線通信を介して接続される情報処理装置であって、
前記情報処理装置の設置環境の変化を検知する検知手段と、
前記検知手段により前記設置環境の変化が検知された場合、前記設置環境の変化に関する日時を含む無線信号を発信する発信する発信手段と、
前記携帯端末から受信電波強度に関する補正値の再設定の要求を受信した場合、前記補正値の再設定を実施する再設定手段と、
を有する情報処理装置。
【請求項６】
前記検知手段は、有線ＬＡＮ接続のＩＰアドレスが変更された場合、前記情報処理装置の設置環境の変化を検知する請求項１乃至５何れか１項記載の情報処理装置。
【請求項７】
前記検知手段は、無線ＬＡＮのアクセスポイントのＭＡＣアドレスが変更された場合、前記情報処理装置の設置環境の変化を検知する請求項１乃至５何れか１項記載の情報処理装置。
【請求項８】
前記検知手段は、標準装備品以外の装置が前記情報処理装置に付加又は削除された場合、前記情報処理装置の設置環境の変化を検知する請求項１乃至５何れか１項記載の情報処理装置。
【請求項９】
前記検知手段は、操作部を介してユーザの入力があった場合、前記情報処理装置の設置環境の変化を検知する請求項１乃至５何れか１項記載の情報処理装置。
【請求項１０】
前記情報処理装置は、画像形成装置である請求項１乃至９何れか１項記載の情報処理装置。
【請求項１１】
情報処理装置から送信された無線信号の受信電波強度と受信電波強度に関する補正値との和と、閾値と、を比較して、エリアインを判定する判定手段と、
前記判定手段によりエリアインと判定され、再設定命令が入力された場合、前記補正値の再設定の要求を前記情報処理装置に送信する送信手段と、
を有する携帯端末。
【請求項１２】
情報処理装置から送信された無線信号に含まれる日時が携帯端末の受信電波強度に関する補正値の再設定日時より新しい場合、受信電波強度に関する補正値の再設定を推奨するメッセージを出力する出力手段と、
再設定命令が入力された場合、前記補正値の再設定の要求を前記情報処理装置に送信する送信手段と、
を有する携帯端末。
【請求項１３】
携帯端末と無線通信を介して接続される情報処理装置が実行する情報処理方法であって、
前記情報処理装置の設置環境の変化を検知する検知ステップと、
前記検知ステップにより前記設置環境の変化が検知された場合、受信電波強度に関する補正値の再設定を推奨するメッセージを出力する出力ステップと、
を含む情報処理方法。
【請求項１４】
携帯端末と無線通信を介して接続される情報処理装置が実行する情報処理方法であって、
前記情報処理装置の設置環境の変化を検知する検知ステップと、
前記検知ステップにより前記設置環境の変化が検知された場合、前記設置環境の変化に関する日時を含む無線信号を発信する発信する発信ステップと、
前記携帯端末から受信電波強度に関する補正値の再設定の要求を受信した場合、前記補正値の再設定を実施する再設定ステップと、
を含む情報処理方法。
【請求項１５】
携帯端末が実行する情報処理方法であって、
情報処理装置から送信された無線信号の受信電波強度と受信電波強度に関する補正値との和と、閾値と、を比較して、エリアインを判定する判定ステップと、
前記判定ステップによりエリアインと判定され、再設定命令が入力された場合、前記補正値の再設定の要求を前記情報処理装置に送信する送信ステップと、
を含む情報処理方法。
【請求項１６】
携帯端末が実行する情報処理方法であって、
情報処理装置から送信された無線信号に含まれる日時が携帯端末の受信電波強度に関する補正値の再設定日時より新しい場合、受信電波強度に関する補正値の再設定を推奨するメッセージを出力する出力ステップと、
再設定命令が入力された場合、前記補正値の再設定の要求を前記情報処理装置に送信する送信ステップと、
を含む情報処理方法。
【請求項１７】
コンピュータを、請求項１乃至１０何れか１項記載の情報処理装置の各手段として機能させるためのプログラム。
【請求項１８】
コンピュータを、請求項１１又は１２記載の携帯端末の各手段として機能させるためのプログラム。
【発明の詳細な説明】
【技術分野】
【０００１】
本発明は、情報処理装置、携帯端末、情報処理方法及びプログラムに関する。
【背景技術】
【０００２】
近年、Ｂｌｕｅｔｏｏｔｈ（登録商標）やＮＦＣ等の近距離無線通信機能が搭載されたスマートフォンやタブレットＰＣ等の携帯端末が広く普及している。近距離無線通信のユースケースの一つとして、情報機器同士で簡単に無線接続可能な「ペアリング」と呼ばれる技術が利用されている。例えば、Ｂｌｕｅｔｏｏｔｈを利用する場合、携帯端末で接続先のアクセスポイント（ＡＰ）から定期的に送信される「ビーコン」と呼ばれるパケットを受信して１対１の関係の無線接続を構築する。また、Ｂｌｕｅｔｏｏｔｈの拡張仕様の一つとして、ＢＬＥ（Ｂｌｕｅｔｏｏｔｈ  Ｌｏｗ  Ｅｎｅｇｒｙ）と呼ばれる低消費電力で通信可能な通信規格があり、商業施設内の顧客に対して、ビーコンによる商品情報を発信する等の利用が見込まれている。
複合機（ＭＦＰ）やプリンタ等の画像形成装置におけるユースケースとしては、エリアインによる自動ログインが挙げられる。より具体的には、画像形成装置に搭載されたＢＬＥモジュールから定期的にビーコンが発信され、ユーザが携帯端末を持って特定のエリアに入ると、携帯端末が受信するビーコンの電波強度が一定値を超える。そのため、携帯端末は、ビーコンをもとにＢＬＥモジュールとのペアリング完了後、ＢＬＥモジュールから送信される情報を利用して画像形成装置に自動ログインできる。このとき、エリアインの判定は、ビーコンの電波強度が閾値を越えることを用いる方法の他に、ビーコンの電波強度から距離を算出し、その距離と予め決められたエリアの閾値とを比較する方法がある。なお、これらの判定方式を用いるとき、ビーコンを受信するモバイルの感度は、事前に最適値に調整されることで、調整されない場合と比較して高感度にサービスを実施することが可能となる。自動ログイン以外にも、エリアインによってＢＬＥモジュールと携帯端末とがペアリングを完了後、携帯端末が画像形成装置のＷｉ−Ｆｉ等の無線ＬＡＮによる高速通信を構築するために必要な、ＳＳＩＤやセキュリティ情報等のＡＰの無線接続情報を受信する。このことで、高速通信規格に切り替えてデータ通信を行うことが可能である。
特許文献１では、画像形成装置と携帯端末とが無線通信を行っている場合、電波強度から距離を算出し、距離からエリアを判定し、エリアに合わせて携帯端末の表示部に表示させる情報を変化させる方法が開示されている。
【先行技術文献】
【特許文献】
【０００３】
【特許文献１】特開２０１２−２１２３３０号公報
【発明の概要】
【発明が解決しようとする課題】
【０００４】
しかしながら、画像形成装置から発信されて携帯端末側が受信する電波の電波強度は、画像形成装置の設置場所や設置環境によって変化する。そのため、画像形成装置の設置場所や設置環境が決定する前に、電波を受信する携帯端末の感度を設定したとしても、画像形成装置の設置場所や設置環境の変化によって、エリアと判定される距離が変化してしまう。その結果、ペアリングを行う際の誤認識率が上がってしまう問題があった。
本発明は、ペアリングを行う際の誤認識率を削減することを目的とする。
【課題を解決するための手段】
【０００５】
本発明は、携帯端末と無線通信を介して接続される情報処理装置であって、前記情報処理装置の設置環境の変化を検知する検知手段と、前記検知手段により前記設置環境の変化が検知された場合、受信電波強度に関する補正値の再設定を推奨するメッセージを出力する出力手段と、を有する。
【発明の効果】
【０００６】
本発明によれば、ペアリングを行う際の誤認識率を削減することができる。
【図面の簡単な説明】
【０００７】
【図１】画像形成装置と携帯端末との位置関係の一例を示す図である。
【図２】画像形成装置のハードウェア構成の一例を示す図である。
【図３】携帯端末のハードウェア構成の一例を示す図である。
【図４】設置環境の変化による電波強度の変化の例を示す図である。
【図５】画像形成装置の情報処理の一例を示すフローチャート（その１）である。
【図６】携帯端末の情報処理の一例を示すフローチャート（その１）である。
【図７】画像形成装置の情報処理の一例を示すフローチャート（その２）である。
【図８】携帯端末の情報処理の一例を示すフローチャート（その２）である。
【図９】画像形成装置の情報処理の一例を示すフローチャート（その３）である。
【図１０】携帯端末の情報処理の一例を示すフローチャート（その３）である。
【発明を実施するための形態】
【０００８】
以下、本発明の実施形態について図面に基づいて説明する。
【０００９】
＜実施形態１＞
図１は、画像形成装置２０と携帯端末３０との位置関係の一例を示す図である。
画像形成装置２０は、コピー、ファックス等の複数の機能を備えるＭＦＰ（Ｍｕｌｔｉ  Ｆｕｎｃｔｉｏｎａｌ  Ｐｅｒｉｐｈｅｒａｌ）、プリンタ等である。携帯端末３０は、スマートフォン、タブレット型パソコン等である。画像形成装置２０、携帯端末３０はＢｌｕｅｔｏｏｔｈ及びＷｉ−Ｆｉ等の無線通信機能、無線ＬＡＮ通信機能を持つ。なお、Ｂｌｕｅｔｏｏｔｈは低消費電力で通信可能なＢＬＥも含む。画像形成装置２０は、ＢＬＥで定期的にビーコンを発信し、携帯端末３０からの接続要求を受信可能なＢＬＥモジュールを搭載する。画像形成装置２０は、情報処理装置の一例である。
画像形成装置２０と携帯端末３０とがＢＬＥにおいて接続されると、ＢＬＥの通信を介してユーザのログインやＷｉ−Ｆｉ等の無線ＬＡＮ通信機能を用いた通信の確立に必要な情報の交換が行われる。そして、ログインやＷｉ−Ｆｉ等の無線ＬＡＮ通信機能を用いた通信の確立が行われる。
ビーコン検知エリア１００は、携帯端末３０が画像形成装置２０から発信されるビーコンを受信可能なエリアであり、一般にビーコンの発信源から１０メートル程度までとされる。ビーコンの電波強度は、画像形成装置２０を発信源として最も強く、距離が遠くなるにつれて弱くなる。携帯端末３０のビーコンを受信するためのアンテナは、機種毎にパターン幅や巻き数、サイズ等の形状が異なるため、電波の受信感度が異なる。つまり、携帯端末３０は機種毎にビーコン検知エリア１００が異なる。ビーコンは、無線信号の一例である。
【００１０】
ユーザが携帯端末３０を持って画像形成装置２０へ接近するとき、ビーコン検知エリア１００をエリアインに使用した場合に、範囲が十分に広いために、画像形成装置２０を使用したいときと使用したくないときとの両方の場合でエリアインが発生する。そこで、画像形成装置２０を中心とした半径１メートル程度を想定した近距離エリア１０１を設ける。近距離エリア１０１は、携帯端末３０が画像形成装置２０から受信したビーコンの電波強度が閾値以上のエリアとする。但し、携帯端末３０が機種間で電波強度の受信感度が異なることを考慮して、受信電波強度に携帯端末３０に固有の補正値を加算するか、携帯端末３０に固有の閾値を設定し携帯端末３０の種類によらず近距離エリア１０１を一定の距離に制御することが必要である。
携帯端末３０は、受信したビーコンの電波強度が閾値以上となったとき、携帯端末３０が画像形成装置２０の近距離エリア１０１に進入したと認識する。
【００１１】
図２は、画像形成装置２０のハードウェア構成の一例を示す図である。
画像形成装置２０は、コントローラ２００、表示部２０７、操作部２０９、プリンタ２１３、スキャナ２１５、ＵＳＢ  Ｉ／Ｆ２１７、ＦＡＸ  Ｉ／Ｆ２１９、有線ＬＡＮ  Ｉ／Ｆ２２１、無線ＬＡＮ用アンテナ２２２を含む。また、画像形成装置２０は、Ｂｌｕｅｔｏｏｔｈモジュール２２４、Ｂｌｕｅｔｏｏｔｈ用アンテナ２２５を含む。コントローラ２００は、ＣＰＵ２０１、ＲＡＭ２０２、ＲＯＭ２０３、記憶装置２０４、システムバス２０５、表示部コントローラ２０６、操作部コントローラ２０８、プリンタコントローラ２１２、スキャナコントローラ２１４を含む。また、コントローラ２００は、ＵＳＢコントローラ２１６、ＦＡＸコントローラ２１８、ネットワークコントローラ２２０、Ｂｌｕｅｔｏｏｔｈコントローラ２２３、画像処理コントローラ２２６を含む。操作部２０９は、タッチパネル２１０、キー２１１を含む。
【００１２】
ＣＰＵ２０１は、画像形成装置２０全体を制御する中央演算ユニットであり、各部とシステムバス２０５で接続されている。ＲＡＭ２０２は、ＣＰＵ２０１が動作するためのワークメモリであり、各種プログラムの展開や演算処理結果の保存、プリント、スキャン等の動作による画像処理コントローラ２２６で処理された画像データの保存に用いられる。ＲＯＭ２０３は、ＣＰＵ２０１の起動プログラムや各種設定情報等が保存されるメモリである。記憶装置２０４は、プログラムやデータを保存しておくための不揮発性メモリであり、コントローラ２００内部のフラッシュメモリ、又は外部Ｉ／Ｆから接続されたＨＤＤ等の外付けメモリデバイスである。表示部コントローラ２０６は、画像データを表示部２０７の通信プロトコルに則り、表示部２０７へ送信する。操作部コントローラ２０８は、タッチパネル２１０とキー２１１とからの入力を受け付け、ＣＰＵ２０１の理解できるデータに変換する。プリンタコントローラ２１２は、ＣＰＵ２０１により指定された画像データを印刷するにあたり、プリンタ２１３の印刷動作に関わる感光体ドラムやレーザー発振器、トナー定着器等の各種デバイスを制御する。スキャナコントローラ２１４は、スキャナ２１５の読み取り動作に関わる原稿検知センサや読み取りセンサ等の各種デバイスを制御する。ＵＳＢコントローラ２１６は、ＵＳＢ  Ｉ／Ｆ２１７と外部端末とをＵＳＢケーブルで接続し、画像データ等の通信を行う。ＦＡＸコントローラ２１８は、ＦＡＸ  ＩＦ２１９と公衆回線網とを電話線で接続し、画像データ等の通信を行う。ネットワークコントローラ２２０は、有線ＬＡＮ  Ｉ／Ｆ２２１と外部端末とをＬＡＮケーブルで接続して、ネットワーク通信を行う。また、ネットワークコントローラ２２０は、無線ＬＡＮ用アンテナ２２２を介して外部端末と無線でデータを送受信する。画像処理コントローラ２２６は、スキャナ２１５で読み取った原稿を画像データに変換したり、拡大、縮小、モノクロ化等、プリンタ２１３で印刷するための画像データに変換したりする等の画像処理を行う。
【００１３】
Ｂｌｕｅｔｏｏｔｈコントローラ２２３は、Ｂｌｕｅｔｏｏｔｈモジュール２２４がＢｌｕｅｔｏｏｔｈ用アンテナ２２５から送信されるビーコンの制御、及びＢｌｕｅｔｏｏｔｈ用アンテナ２２５を介した外部端末とデータの送受信を行う。制御されるビーコンの項目は、送信データ、送信電波強度、送信間隔を含む。Ｂｌｕｅｔｏｏｔｈコントローラ２２３及び／又はＢｌｕｅｔｏｏｔｈモジュール２２４は、ビーコンを発信した時間、及び／又は回数を記録する機能を含む。
ＣＰＵ２０１が、ＲＯＭ２０３又は記憶装置２０４に記憶されたプログラムに基づき処理を実行することにより、画像形成装置２０の機能及び後述する図５、図７、図９のフローチャートの処理が実現される。
【００１４】
図３は、携帯端末３０のハードウェア構成の一例を示す図である。
携帯端末３０は、コントローラ３００、表示部３０７、操作部３０９、通話部３１３、音声用アンテナ３１６、ＵＳＢ  Ｉ／Ｆ３１８、バッテリー３１９、無線ＬＡＮ用アンテナ３２１、Ｂｌｕｅｔｏｏｔｈ用アンテナ３２３を含む。コントローラ３００は、ＣＰＵ３０１、ＲＡＭ３０２、ＲＯＭ３０３、記憶装置３０４、システムバス３０５、表示部コントローラ３０６、操作部コントローラ３０８、通話部コントローラ３１２、ＵＳＢコントローラ３１７を含む。また、コントローラ３００は、無線ＬＡＮコントローラ３２０、Ｂｌｕｅｔｏｏｔｈコントローラ３２２を含む。操作部３０９は、タッチパネル３１０、キー３１１を含む。通話部３１３は、マイク３１４、スピーカー３１５を含む。
ＣＰＵ３０１は、携帯端末３０全体を制御する中央演算ユニットであり、各部とシステムバス３０５で接続されている。ＲＡＭ３０２は、ＣＰＵ３０１が動作するためのワークメモリであり、各種プログラムの展開や演算処理結果の保存に用いられる。ＲＯＭ３０３は、ＣＰＵ３０１の起動プログラムや各種設定情報が保存されるメモリである。記憶装置３０４は、プログラムやデータを保存しておくための不揮発性メモリであり、コントローラ３００内部のフラッシュメモリ、又は外部Ｉ／Ｆから接続されたＳＤカード等の外付けメモリデバイスである。表示部コントローラ３０６は、画像データを表示部３０７の通信プロトコルに則り、表示部３０７へ送信する。操作部コントローラ３０８は、タッチパネル３１０とキー３１１とからの入力を受け付け、ＣＰＵ３０１の理解できるデータに変換する。通話部コントローラ３１２は、マイク３１４から受信した音声信号を対向機に送信するための電波に変換し、音声用アンテナ３１６へ出力するための処理を行う。また、通話部コントローラ３１２は、対向機から音声用アンテナ３１６で受信した電波を音声に変換してスピーカー３１５に出力するための処理を行う。ＵＳＢコントローラ３１７は、ＵＳＢ  Ｉ／Ｆ３１８と外部端末とをＵＳＢケーブルで接続してデータ通信したり、ＵＳＢ  Ｉ／Ｆ２１８とコンセントとをＵＳＢケーブルで接続して給電を受け、バッテリー３１９の充放電を制御したりする。なお、ＵＳＢにはｍｉｎｉＵＳＢ等、関連する通信規格も含む。無線ＬＡＮコントローラ３２０は、無線ＬＡＮ用アンテナ３２１を介して外部端末とデータを送受信する。Ｂｌｕｅｔｏｏｔｈコントローラ３２２は、Ｂｌｕｅｔｏｏｔｈ用アンテナ３２３を介して外部端末とデータを送受信する機能、及び受信したビーコンの電波強度、データの解析を行う機能を持つ。
【００１５】
図４は、画像形成装置２０と携帯端末３０との設置環境の変化による電波強度の変化の例を示す図である。
例として、画像形成装置２０のＢｌｕｅｔｏｏｔｈ用アンテナ２２５と携帯端末３０との間に遮蔽物がある場合と無い場合との携帯端末３０が受信するビーコンの受信電波強度を示している。遮蔽物がある場合と無い場合とでは、携帯端末３０の受信電波強度は異なり、遮蔽物がある場合の方が受信電波強度の減衰が大きい。そのため、エリアインを判定するときに携帯端末３０の受信電波強度に加える補正値を一意に決定しているとき、ビーコンの受信電波強度が閾値を上回る距離、即ちエリアインと判定される距離が異なる。画像形成装置２０に、標準装備品以外の装置を設置した場合、標準装備品以外の装置内に存在する金属板金等が遮蔽物の役割を果たすため、このような現象が起きる可能性がある。また、遮蔽物の効果以外にも、画像形成装置２０が発信するビーコンは、物体の反射によって減衰又は増強される。よって、画像形成装置２０の設置位置や周辺の床、壁、天井、机や棚等の備品、標準装備品以外の装置等、画像形成装置２０の設置環境が変化すると、携帯端末３０が受信するビーコンの受信電波強度が変化する。したがって、画像形成装置２０の設置環境が変化する前後で、エリアインを判定するときに携帯端末３０の受信電波強度に加える補正値は、エリアインと判定される距離を一定に保つために携帯端末３０内で適切な値にそれぞれ設定されなければならない。
【００１６】
エリアインを判定するときに携帯端末３０の受信電波強度に加える補正値の設定方法の一例として、図５及び図６に示すような次の方法がある。本設定方法は、画像形成装置２０と携帯端末３０とが既にペアリングされている状態から始まる。まず画像形成装置２０の制御フローを図５で説明する。
Ｓ９０１で、ＣＰＵ２０１は、携帯端末３０から補正値設定命令を受信したか判定する。ＣＰＵ２０１は、受信した場合、Ｓ９０２に進み、受信しない場合、Ｓ９０１の処理を繰り返す。Ｓ９０２で、ＣＰＵ２０１は、携帯端末３０のＢＬＥアクセスアドレスを記録する。Ｓ９０３で、ＣＰＵ２０１は、画像形成装置２０と携帯端末３０とのペアリングを切断後、Ｓ９０４に進む。Ｓ９０４で、ＣＰＵ２０１は、画像形成装置２０からビーコンを発信する。このとき、携帯端末３０が補正値の設定完了後に再度のペアリングを要求するよう規定する。Ｓ９０５で、ＣＰＵ２０１は、ペアリング要求を受信するまで待機する。ＣＰＵ２０１は、ペアリング要求を受信した場合、Ｓ９０６に進む。Ｓ９０６で、ＣＰＵ２０１は、ペアリングを実行する。このとき、画像形成装置２０は、携帯端末３０以外ともペアリングが可能となっているため、携帯端末３０と正しくペアリングし、エリアインの閾値が設定されたか確認する必要がある。そこで、Ｓ９０７で、ＣＰＵ２０１は、画像形成装置２０にペアリングされた機器のＢＬＥアクセスアドレスと、Ｓ９０２で記録した携帯端末３０のＢＬＥアクセスアドレスとを比較する。ＣＰＵ２０１は、一致している場合はエリアインの閾値の設定を終了する。一方、ＣＰＵ２０１は、一致していない場合、Ｓ９０８に進む。画像形成装置２０が誤った機器とペアリングを行っているため、Ｓ９０８で、ＣＰＵ２０１は、画像形成装置２０の表示部２０７に「別ユーザが補正値の設定を実行中です。」と表示する。Ｓ９０９で、ＣＰＵ２０１は、画像形成装置２０とのペアリングを切断し、Ｓ９０４へ戻る。
【００１７】
次に携帯端末３０の制御フローを図６で説明する。Ｓ１００１で、ＣＰＵ３０１は、携帯端末３０の操作部３０９で補正値設定命令が選択されたか判定する。ＣＰＵ３０１は、補正値設定命令が選択された場合、Ｓ１００２へ進み、選択されない場合、Ｓ１００１の処理を繰り返す。Ｓ１００２で、ＣＰＵ３０１は、画像形成装置２０へ補正値設定命令を送信する。Ｓ１００３で、ＣＰＵ３０１は、画像形成装置２０とのペアリングを切断する。Ｓ１００４で、ＣＰＵ３０１は、携帯端末３０の表示部３０７に「補正値を変更し確定ボタンを押して下さい。」と表示する。Ｓ１００５で、ＣＰＵ３０１は、携帯端末３０の操作部３０９に「補正値操作」ボタンと「確定」ボタンとを設置する。Ｓ１００６で、ＣＰＵ３０１は、ユーザが「補正値操作」ボタンを操作して補正値を調整する。Ｓ１００７で、ＣＰＵ３０１は、「確定」ボタンが選択されるまで待機する。ＣＰＵ３０１は、「確定」ボタンが選択された場合、Ｓ１００８へ進む。Ｓ１００８で、ＣＰＵ３０１は、調整された補正値を、新しいエリアインを判定するときに携帯端末３０の受信電波強度に加える補正値として記録する。Ｓ１００９で、ＣＰＵ３０１は、画像形成装置２０へペアリング要求を送信し、ペアリング実行後に閾値の設定フローを終了する。
【００１８】
画像形成装置２０の設置環境が変化したことを画像形成装置２０が検出したとき、それ以降にエリアインを行うユーザへ、エリアインを判定するときに携帯端末３０の受信電波強度に加える補正値の再設定を促す。そして、ユーザがエリアインを判定するときに携帯端末３０の受信電波強度に加える補正値を再設定することで、エリアインと判定される距離を一定に保つことが可能となる。エリアインを判定するときに携帯端末３０の受信電波強度に加える補正値の再設定を促す方法は、以下の通りである。即ち、ユーザのエリアイン後に画像形成装置２０の表示部２０７に、画像形成装置２０の設置環境が変化したため、エリアインを判定する閾値の再設定を推奨することを示すメッセージを表示する。このメッセージに起因して、ユーザがエリアインを判定するときに携帯端末３０の受信電波強度に加える補正値を再設定した場合、画像形成装置２０は再設定した日時を記録する。このことで、次に画像形成装置２０の設置環境が変化するまで、同じユーザがエリアインを行ってもエリアインを判定するときに携帯端末３０の受信電波強度に加える補正値の再設定を促さないで冗長性を除くことができる。
【００１９】
ＣＰＵ２０１が、画像形成装置２０の設置環境が変化したことを検出する例として、無線ＬＡＮのアクセスポイントのＭＡＣアドレスによる検出がある。設置環境の変化前に接続していたアクセスポイントのＭＡＣアドレスと、設置環境の変化後に接続しているアクセスポイントのＭＡＣアドレスとが変わった場合、ＣＰＵ２０１は、画像形成装置２０の電源投入時にアクセスポイントのＭＡＣアドレスを参照する。このことで、ＣＰＵ２０１は、設置位置が変更されたことがわかる。また、別の検出方法として、ＣＰＵ２０１は、アクセスポイントから画像形成装置２０が受信した信号の信号強度の平均値を、電源投入前後で記録し比較することで、画像形成装置２０の設置環境の変化を判定することができる。
その他の例として、ＣＰＵ２０１は、画像形成装置２０が有線ＬＡＮ接続する際のＩＰアドレスを用いる方法や画像形成装置２０の標準装備品以外の装置が付加又は削除されたことに基づき、画像形成装置２０の設置環境が変化したことを検出することができる。また、画像形成装置２０の管理者が画像形成装置２０の設置環境が変化したと判断し、手動で設置環境の変化を入力した場合、ＣＰＵ２０１は、操作部２０９等を介した前記入力を検知し、画像形成装置２０の設置環境が変化したことを検出することができる。
【００２０】
図７は、画像形成装置２０の表示部２０７によりエリアインを判定するときに携帯端末３０の受信電波強度に加える補正値の再設定を促すときの画像形成装置２０の制御フローを示す図である。
Ｓ５０１で、ＣＰＵ２０１は、画像形成装置２０の設置環境を確認する。Ｓ５０２で、ＣＰＵ２０１は、画像形成装置２０の設置環境が変化したか確認する。ＣＰＵ２０１は、変化している場合はＳ５０３へ進み、変化しない場合は、設置環境が変化した日時を記録せずＳ５０４へ進む。Ｓ５０３で、ＣＰＵ２０１は、設置環境が変化した日時を記録し、Ｓ５０４へ進む。Ｓ５０４では、エリアインサービスを行うために、ＣＰＵ２０１は、画像形成装置２０からビーコンを発信する。Ｓ５０５で、ＣＰＵ２０１は、このビーコンにより携帯端末３０からＢＬＥ接続要求を受信したかを判定する。ＣＰＵ２０１は、携帯端末３０からＢＬＥ接続要求が受信されない場合はＳ５０４へ戻り再びビーコンを発信する。一方、ＣＰＵ２０１は、携帯端末３０からＢＬＥ接続要求が受信された場合、Ｓ５０６へ進む。Ｓ５０６で、ＣＰＵ２０１は、画像形成装置２０と携帯端末３０とのペアリングを行い、エリアインサービスを実行する。Ｓ５０７で、ＣＰＵ２０１は、携帯端末３０がエリアインを判定するときに携帯端末３０の受信電波強度に加える補正値を設定した日時を確認する。Ｓ５０８で、ＣＰＵ２０１は、設置環境の変化した日時と携帯端末３０のエリアインを判定するときに携帯端末３０の受信電波強度に加える補正値を設定した日時とを比較する。ＣＰＵ２０１は、設置環境の変化した日時の方が補正値を設定した日時より新しい場合はＳ５０９に進み、設置環境の変化した日時の方が補正値を設定した日時より古い場合はＳ５１３に進む。Ｓ５０９で、ＣＰＵ２０１は、表示部２０７に画像形成装置２０の設置環境が変化したため、エリアインを判定するときに携帯端末３０の受信電波強度に加える補正値の再設定を推奨することを示すメッセージを表示する。Ｓ５１０で、ＣＰＵ２０１は、ユーザが再設定を実行したか否かを、携帯端末３０から再設定要求を受信できたか否かで判定する。ＣＰＵ２０１は、再設定の要求を受信した場合はＳ５１１へ進み、受信しなかった場合はＳ５１３へ進む。Ｓ５１１で、ＣＰＵ２０１は、エリアインを判定するときに携帯端末３０の受信電波強度に加える補正値の再設定を実施し、再設定の完了後はＳ５１２に進む。Ｓ５１２で、ＣＰＵ２０１は、補正値を再設定した日時を更新後、Ｓ５１３へ進む。Ｓ５１３では、ＣＰＵ２０１は、ユーザが接続を終了したか否かを、画像形成装置２０と携帯端末３０との接続が終了したか否かで判定する。ＣＰＵ２０１は、接続が終了した場合は再度、Ｓ５０４へ戻る。
【００２１】
図８は、画像形成装置２０の表示部２０７によりエリアインを判定するときに携帯端末３０の受信電波強度に加える補正値の再設定を促すときの携帯端末３０の制御フローを示す図である。
Ｓ６０１で、ＣＰＵ３０１は、携帯端末３０のエリアイン認証アプリケーションを起動する。Ｓ６０２で、ＣＰＵ３０１は、携帯端末３０が画像形成装置２０のビーコンを受信したか判定する。ＣＰＵ３０１は、受信していない場合はＳ６０３へ進み、受信した場合はＳ６０４に進む。Ｓ６０３で、ＣＰＵ３０１は、表示部３０７にＢＬＥ接続可能な画像形成装置が周囲にないことを表示する。一方、Ｓ６０４で、ＣＰＵ３０１は、ビーコンの受信電波強度とエリアインを判定するときに携帯端末３０の受信電波強度に加える補正値との和と、エリアインの閾値とを比較して、携帯端末３０が画像形成装置２０の近距離エリア１０１に進入しているか判定する。ＣＰＵ３０１は、近距離エリア１０１に進入していない場合、Ｓ６０２に戻り、近距離エリア１０１に進入している場合、Ｓ６０５へ進む。Ｓ６０５で、ＣＰＵ３０１は、画像形成装置２０へＢＬＥ接続要求を送信し、エリアインサービスを実行する。Ｓ６０６で、ＣＰＵ３０１は、エリアインサービス実行時にＳ５０９で示された受信電波強度に加える補正値の再設定を推奨するメッセージを見たユーザが、補正値の再設定を行ったか否かを判定する。より具体的には、ＣＰＵ３０１は、携帯端末３０の操作部３０９から再設定命令が入力されたか否かに基づき判定を行う。ＣＰＵ３０１は、再設定を行わない場合、Ｓ６０２へ戻り、再設定を行う場合、Ｓ６０７へ進む。Ｓ６０７において、ＣＰＵ３０１は、画像形成装置２０へエリアインを判定するときに携帯端末３０の受信電波強度に加える補正値を含む再設定要求を送信する。送信後、Ｓ６０８へ進み、ＣＰＵ３０１は、補正値を再設定後、Ｓ６０２へ戻る。
【００２２】
＜実施形態２＞
本実施形態では、画像形成装置２０の表示部２０７ではなく携帯端末３０の表示部３０７にユーザにエリアインを判定するときに携帯端末３０の受信電波強度に加える補正値の再設定を促す方法を追加する。
図９は、携帯端末３０の表示部３０７によりエリアインを判定するときに携帯端末３０の受信電波強度に加える補正値の再設定を促すときの画像形成装置の制御フローを示す図である。
Ｓ７０１で、ＣＰＵ２０１は、Ｓ５０１と同様に画像形成装置２０の設置環境を確認する。Ｓ７０２で、ＣＰＵ２０１は、Ｓ５０２と同様に画像形成装置２０の設置環境が変化したか確認する。ＣＰＵ２０１は、変化している場合はＳ７０３へ進み、変化していない場合は設置環境が変化した日時を記録せずＳ７０４へ進む。Ｓ７０３で、ＣＰＵ２０１は、Ｓ５０３と同様に設置環境が変化した日時を記録しＳ７０４へ進む。Ｓ７０４で、ＣＰＵ２０１は、ビーコンの情報にＳ７０３で記録した設置環境が変化した日時の情報を付加する。Ｓ７０５で、ＣＰＵ２０１は、Ｓ５０４と同様にビーコンを発信する。Ｓ７０６で、ＣＰＵ２０１は、エリアインを判定するときに携帯端末３０の受信電波強度に加える補正値の再設定要求を受信したか判断する。ＣＰＵ２０１は、再設定要求を受信した場合、Ｓ７０７へ進み、再設定要求を受信しなかった場合、Ｓ７０７へ進まずに直接、Ｓ７０８へ進む。Ｓ７０７で、ＣＰＵ２０１は、Ｓ５１１と同様にエリアインを判定するときに携帯端末３０の受信電波強度に加える補正値を再設定し、Ｓ７０８へ進む。Ｓ７０８で、ＣＰＵ２０１は、Ｓ５０５と同様に携帯端末３０からＢＬＥ接続要求を受信したか否かを判定する。ＣＰＵ２０１は、ＢＬＥ接続要求が受信されない場合はＳ７０４へ戻り、再びビーコンを発信する。ＣＰＵ２０１は、携帯端末３０からＢＬＥ接続が受信された場合、Ｓ７０９へ進む。Ｓ７０９で、ＣＰＵ２０１は、Ｓ５０６と同様に画像形成装置２０と携帯端末３０とのペアリングを行い、エリアインサービスを実行する。Ｓ７１０で、ＣＰＵ２０１は、Ｓ５１３と同様にユーザが画像形成装置２０と携帯端末３０との接続を終了させることを待ち、画像形成装置２０と携帯端末３０との接続が終了した場合は再度、Ｓ７０４へ戻る。
【００２３】
図１０は、携帯端末３０の表示部３０７によりエリアインを判定するときに携帯端末３０の受信電波強度に加える補正値の再設定を促すときの携帯端末３０の制御フローを示す図である。
Ｓ８０１で、ＣＰＵ３０１は、Ｓ６０１と同様に携帯端末３０のエリアイン認証アプリケーションを起動する。Ｓ８０２で、ＣＰＵ３０１は、Ｓ６０２と同様に携帯端末３０が画像形成装置２０のビーコンを受信したか判定する。ＣＰＵ３０１は、受信していない場合はＳ８０３へ進み、ビーコンを受信した場合、Ｓ８０４に進む。Ｓ８０３で、ＣＰＵ３０１は、Ｓ６０３と同様に表示部３０７にＢＬＥ接続可能な画像形成装置が周囲にないことを表示する。一方、Ｓ８０４で、ＣＰＵ３０１は、受信したビーコンが持つ、画像形成装置２０の設置環境が変化した日時情報と携帯端末３０が持つエリアインを判定するときに携帯端末３０の受信電波強度に加える補正値を再設定した再設定日時情報とを比較する。ＣＰＵ３０１は、画像形成装置２０の設置環境が変化した日時情報の方が補正値を再設定した日時情報より古い場合、エリアインを判定するときに携帯端末３０の受信電波強度に加える補正値の再設定は不要のため、Ｓ８１０へ進む。一方、ＣＰＵ３０１は、画像形成装置２０の設置環境が変化した日時情報の方が補正値を再設定した日時情報より新しい場合、Ｓ８０５へ進む。Ｓ８０５で、ＣＰＵ３０１は、表示部３０７に画像形成装置２０の設置環境が変化したため、エリアインを判定するときに携帯端末３０の受信電波強度に加える補正値の再設定を推奨することを示すメッセージを表示する。Ｓ８０６で、ＣＰＵ３０１は、エリアインを判定するときに携帯端末３０の受信電波強度に加える補正値を再設定するか、ユーザの操作を待つ。ＣＰＵ３０１は、Ｓ６０６と同様に携帯端末３０の操作部３０９から再設定命令が入力されたか否かで、再設定の判定を行う。ＣＰＵ３０１は、再設定を行わない場合、Ｓ８１０へ進み、再設定を行う場合、Ｓ８０７に進む。Ｓ８０７で、ＣＰＵ３０１は、Ｓ６０７と同様に画像形成装置２０へエリアインを判定するときに携帯端末３０の受信電波強度に加える補正値の再設定要求を送信する。送信後、Ｓ８０８に進み、ＣＰＵ３０１は、Ｓ６０８と同様に補正値を再設定後、Ｓ８０９に進む。Ｓ８０９で、ＣＰＵ３０１は、エリアインを判定するときに携帯端末３０の受信電波強度に加える補正値を再設定した日時情報を更新後、Ｓ８１０へ進む。Ｓ８１０で、ＣＰＵ３０１は、Ｓ６０４と同様にビーコンの受信電波強度とエリアインを判定するときに携帯端末３０の受信電波強度に加える補正値とを比較して、携帯端末３０が画像形成装置２０の近距離エリア１０１に進入しているか判定する。ＣＰＵ３０１は、近距離エリア１０１に進入していない場合、Ｓ８０２に戻る。ＣＰＵ３０１は、近距離エリア１０１に進入している場合、Ｓ８１１へ進む。Ｓ８１１で、ＣＰＵ３０１は、Ｓ６０５と同様に画像形成装置２０へＢＬＥ接続要求を送信し、エリアインサービスを実行する。
【００２４】
＜実施形態３＞
エリアインを判定するときに携帯端末３０の受信電波強度に加える補正値の再設定を促す場合、携帯端末３０の受信電波強度に加える補正値ではなく、携帯端末３０がエリアインを判定するときに使用する閾値を設定する方法を追加する。
エリアインを判定する際、図８及び図１０では、ＣＰＵ３０１は、ビーコンの電波強度と補正値との和が、エリアインを判定するときに使用する閾値よりも大きいときにエリアインと判定する。そのため、ＣＰＵ３０１は、補正値ではなく閾値を調整することで、エリアインを判定するときに携帯端末３０の受信電波強度に加える補正値を調整する方法と同様に、エリアインと判定される距離を一定に保つことができる。
上述の実施形態は、エリアインを判定するときに携帯端末３０の受信電波強度に加える補正値を調整する方法と適宜組み合わせることができる。
【００２５】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２６】
以上、本発明の好ましい実施形態について詳述したが、本発明は係る特定の実施形態に限定されるものではない。例えば、上述した実施形態では画像形成装置２０の表示部２０７によりエリアインを判定するときに携帯端末３０の受信電波強度に加える補正値の再設定を促す方法の説明を行った。また、携帯端末３０の表示部３０７によりエリアインを判定するときに携帯端末３０の受信電波強度に加える補正値の再設定を促す方法を例に説明を行った。しかし、音声ガイダンスやユーザへの電子メールによりエリアインを判定するときに携帯端末３０の受信電波強度に加える補正値の再設定を促すようにしてもよい。また、上述した実施形態を任意に組み合わせて実施してもよい。
以上、上述した各実施形態の処理によれば、ユーザが画像形成装置を使用するためのペアリングを行う際の誤認識率を削減し、ユーザビリティを向上できる。
【符号の説明】
【００２７】
２０    画像形成装置
３０    携帯端末
２０１  ＣＰＵ
３０１  ＣＰＵ
【図１】
2018019277.tif 000003
【図２】
2018019277.tif 000004
【図３】
2018019277.tif 000005
【図４】
2018019277.tif 000006
【図５】
2018019277.tif 000007
【図６】
2018019277.tif 000008
【図７】
2018019277.tif 000009
【図８】
2018019277.tif 000010
【図９】
2018019277.tif 000011
【図１０】
2018019277.tif 000012